(57)【要約】【課題】被覆部材を登り木に対して所定の高さ位置に確実に位置決めすることができ、しかも被覆部材と水切り部材との間に雨水が浸入したり風が吹き込んだりする隙間を存在させないけらば構造体を提供する。【解決手段】登り木（４）が配設されるけらば部（Ｋ）のけらば構造体（１０）として、横断面が略逆Ｌ形をなす被覆部材（７）と、横断面が略コ字形をなす水切り部材（５）とから構成する。そして、上記被覆部材の上壁縁部（７２１）にフック部（７２２）を形成する。そのフック部を水切り部材の上壁端縁（E）に引っ掛けて被覆部材を回動させると、水切り部材及び被覆部材の各上壁部が重なって両者の間の隙間がなくなり、しかも被覆部材の正確な位置決めが可能になる。【選択図】図５
2007297847.tif 000002
【特許請求の範囲】
【請求項１】
切妻屋根の軒先部から棟部に向って登り木（４）が配設されるけらば部（Ｋ）において、その登り木の外面（４３）側に沿わせることができる、横断面が略逆Ｌ形をなす登り木の被覆部材（７）と、前記登り木の内面（４１）側に添わせることができる、横断面が略コ字形をなす水切り部材（５）とからなるけらば構造体（１０）であって、前記被覆部材の上壁部（７２）の端縁（Ｇ）寄りの上壁縁部（７２１）に形成したフック部（７２２）を水切り部材の上壁縁部（５２１）に引っ掛けることを可能にするとともに、前記フック部を水切り部材の上壁縁部に引っ掛けて、水切り部材及び被覆部材の各上壁部を重ねたとき、被覆部材の垂直部と水切り部材の垂直部との間に前記登り木が入り込む隙間ができるようにしたけらば構造体。
【請求項２】
前記水切り部材及び被覆部材の各上壁部（５２、７２）のうち、それらの端縁（Ｅ、Ｇ）寄りの上壁縁部（５２１、７２１）のそれぞれは下向きに傾斜する傾斜面にした構造をしている請求項１記載のけらば構造体。
【発明の詳細な説明】
【技術分野】
【０００１】
本発明は、瓦葺きされた切妻屋根のけらば部に取り付けるけらば構造体に関するものである。
【背景技術】
【０００２】
従来から、切妻屋根のけらば部において、登り木とそれに接近して葺かれた屋根瓦との間に水切り部材を設置するとともに、その水切り部材とともに前記登り木を被覆する被覆部材とからなる構造体、すなわちけらば構造体は、例えば、特開平９−０４１６０２号公報で公知（公知技術）である。
【０００３】
この公知技術によると、図１０に示すように、瓦１で葺かれた切妻屋根２のけらば部Ｋにおいて、その野地板３上に屋根の軒先部から棟部に向かって延びる登り木４が設置されている。そして、この登り木４の内面４１側には、横断面が略Ｚ字形をしている水切り部材５が登り木４に固定されているとともに、登り木４の外面４３側には、略逆Ｌ字形横断面を有する補強部材６が固定されている。さらにその補強部材６の上からそれと略同じ横断面を有する被覆部材７が登り木４に固定されている。従って、公知技術においては、水切り部材５、補強部材６及び被覆部材７が前記けらば構造体１０を構成している。なお、前記特許文献には瓦１として波瓦が図示されているが、けらば構造体に関して公知技術と本発明とを比較し易くするために、図１０に開示する従来技術の瓦を本発明に係る形状・構造の瓦に置き換えて表現した。
【０００４】
再び、従来技術について言及すると、前記水切り部材５は、前記登り木４の内面４１に添って垂直に立設される垂直部５３と、その下端から前記瓦１側に水平に延びる底面部５１と、同じく上端から前記登り木４の上面４２に添って延びる上壁部５２とからなり、それらは金属板から一体成形されている。前記瓦１の一つの側縁部１１から流下する雨水は、水切り部材５の底面部５１に集められて、軒先側に流下する。なお、前記底面部５１には先端縁が屈曲して形成された水返し片５４が形成されている。
【０００５】
また、前記被覆部材７は、前記登り木４の外面４３に沿って垂直に立設される垂直部７１と、その上端から前記登り木４の上面４２に添って延びる円弧面状の上壁部７２とから構成されている。前記上壁部７２は、水切り部材５の上壁部５２とともに登り木４を被覆し、上壁部７２自体が受けた降雨を水切り部材５の底面部５１上に流下させる。なお、公知技術においては登り木４と被覆部材７との間には、被覆部材７の垂直部７１が風に煽られるのを防ぐための補強部材６が設けられている。
【０００６】
このように公知技術に係るけらば構造体１０は、野地板３上において登り木４を被覆することにより、登り木４が雨水で濡れて侵食されるのを阻止するとともに、登り木４とともに切妻屋根２のけらば部Ｋの意匠性を高める機能を発揮している。
【特許文献１】特開平９−０４１６０２号公報
【発明の開示】
【発明が解決しようとする課題】
【０００７】
しかしながら、この公知技術においては、けらば構造体の施工効率について改良が必要であるのみならず、防水性能及び台風などの暴風雨に対して風圧力でのめくり上がりや飛散の防止に関してもなお改良の余地がある。すなわち、公知技術において登り木４の斜め上方の位置から矢印Ａで示す向きに登り木４に被覆部材７をあてがって固定するとき、被覆部材７の垂直部７１と上壁部７２との間に存在する屈曲部Ｂが直角になっていないため、被覆部材７を登り木４のコーナーＣにぴったりと重ねることができない場合がある。
【０００８】
そのため、被覆部材７を所定の高さ位置に正確に位置決めすることが困難になるという問題がある。さらに仮に被覆部材７を位置決めしても、被覆部材７は、通常、所定の高さ位置より上位に位置決めされ易く、その結果、前記水切り部材５と被覆部材７との間に存在する隙間Ｄをより大きくし、その隙間Ｄから登り木４の上に対して、より多くの雨水の浸入を引き起こし、また、台風などの暴風時に隙間Ｄから風が吹き込み被覆部材７の上壁部７２があおられることで、被覆部材が曲がったりめくり上がったり又は飛散したりしやすくなるという問題がある。さらに公知技術では通常、前記被覆部材７の固定方法として前記上壁部７２に釘等を挿入して固定する方法を用いるが、これは降雨時に雨水が釘等を伝い内部に浸入し、登り木４や野地板３の腐食を引き起こす危険性が高い。
【０００９】
そこで本発明者は、上記の問題を一挙に解消し得るけらば構造体を案出するため、鋭意、検討した結果、前記登り木に対して水切り部材と被覆部材とを取り付けるときに、両者を係合させながら機械的に連結して両者を相対的に所定の範囲まで回動すればよいという事実を見出し、本発明を完成した。従って、本発明の課題は、被覆部材を登り木の所定の高さ位置に確実に位置決めできるようにするとともに、その被覆部材と、それとともにけらば構造体を構成する水切り部材との間に雨水が浸入したり風が吹き込んだりする隙間を存在させず、被覆部材の上壁部からの釘留めを必要としない構造のけらば構造体を提供することにある。
【課題を解決するための手段】
【００１０】
本発明は、前記の課題を解決するために、切妻屋根の軒先部から棟部に向って登り木が配設されるけらば部において、その登り木の外面側に沿わせることができる、横断面が略逆Ｌ形をなす登り木の被覆部材と、前記登り木の内面側に添わせることができる、横断面が略コ字形をなす水切り部材とからなるけらば構造体であって、前記被覆部材の上壁部の端縁寄りの上壁縁部に形成したフック部を水切り部材の上壁縁部に引っ掛けることを可能にするとともに、前記フック部を水切り部材の上壁縁部に引っ掛けて、水切り部材及び被覆部材の各上壁部を重ねたとき、被覆部材の垂直部と水切り部材の垂直部との間に前記登り木が入り込む隙間ができるようにしたけらば構造体とする。
【００１１】
上記の手段を採用して、前記構造体の水切り部材及び被覆部材の各上壁部が重なる構造にしたので、水切り部材と被覆部材の端縁間に隙間が存在しなくなり、また、被覆部材の上壁部の強度が水切り部材の上壁部によって補強されることとなる。前記被覆部材の上壁縁部に形成したフック部を水切り部材の上壁縁部に引っ掛けることを可能にしたので、被覆部材を登り木に被覆するとき、被覆部材の上壁縁部にあるフック部を水切り部材の上壁縁部に引っ掛ければ、被覆部材は登り木の所定高さ位置に必然的に位置決めされる。さらにけらば部の下地材上において水切り部材の外面側を、登り木に固定もしくは内面側を野地板に固定した後、被覆部材のフック部を水切り部材の上壁縁部に引っ掛けて、水切り部材及び被覆部材の各上壁部を重ねれば、被覆部材と水切り部材は登り木を挟持する関係位置に納まり、被覆部材は登り木または野地板に固定された水切り部材と係合されることとなり上壁部からの釘等による留付を必要としない。
【００１２】
そして、前記水切り部材及び被覆部材の各上壁部のうち、それらの端縁寄りの上壁縁部のそれぞれは下向きに傾斜する傾斜面にする。前記上壁縁部を傾斜させリブ構造をとることで、上壁部の強度がより増強される。
【発明の効果】
【００１３】
本発明は、被覆部材を登り木に対して所定の高さ位置に確実に位置決めすることを可能にするとともに、その被覆部材と、それとともにけらば構造体を構成する水切り部材との間に雨水が浸入したり風が吹き込む隙間を存在させない。また、被覆部材と水切り部材を係合し重ね合わせることで、強度を増し被覆部材が風で曲がったり、めくり上がりにくくし、上壁部の釘留めを必要としないことで釘穴からの雨水の浸入を防止するといった優れた効果を発揮する。
【発明を実施するための最良の形態】
【００１４】
次に、図面を参照しながら、本発明を実施するための最良の実施形態について詳述する。図１、図２及び図３に示すように、本発明に係るけらば構造体１０は、横断面が略コ字形をなす水切り部材５と横断面が略逆Ｌ字形をなす被覆部材７の二つの部材から構成されている。前記水切り部材５及び被覆部材７は、前記従来技術における補強部材を不要にする程度の厚みを有する金属板を曲げ加工して前記横断面形状にすることによりそれぞれ得られる。
【００１５】
前記水切り部材５は、図２及び図５に示すように、その幅方向中央部が登り木４の高さｈと略同じ幅を有する垂直部５３と、その垂直部５３の上下端から同一向きに直角に曲げ形成されている上壁部５２と、底面部５１とから一体的に形成されている。さらに前記上壁部５２のうち、その端縁Ｅ寄りの上壁縁部５２１は傾斜面になっている。他方、前記底面部５１のうち、その端縁Ｆ寄りの底面部５１は上向きに曲げ形成されて水返し機能を発揮する水返し片５４になっている。従って、本発明に係る水切り部材５は、前記垂直部５３に対向する仮想上の対向部に必要最小限度の瓦１挿入口が形成されていると言える。なお、図５において登り木４は２本重ねて描かれているが、１本使用することもできるし、また全体の形状・大きさは、必要に応じて、任意に決定することができる。
【００１６】
さらに前記被覆部材７は、図３及び図５に示すように、前記登り木４の高さｈより幅広く垂下する垂直部７３と、その垂直部７３の上端で屈曲されて水平に延びる上壁部７２とから構成されている。前記垂直部７３の下端には水返し片７４が形成されている。
【００１７】
また、前記上壁部７２のうち、その端縁Ｇ寄りの上壁部７２は傾斜した上壁縁部７２１になっており、水切り部材５において同様に形成されている上壁縁部５２１と重ねることが可能になっている。さらに加えて、上記上壁部７２の端縁Ｇには、水切り部材５の端縁Ｅを回り込んで、それを係止可能なフック部７２２が形成されている。
【００１８】
上記のように構成される本発明に係るけらば構造体１０を使用して、瓦が葺かれた切妻屋根でけらば部の登り木を被覆するには、次のような施工法が採用される。図６に示すように、切妻屋根２を構成する野地板３上に防水シート８を敷き、その上に瓦を係止させて釘打ちするための桟木９を配設する。次いで切妻屋根２のけらば部Ｋに登り木４を固定して、その内面４１側に水切り部材５を固定する。勿論、水切り部材５を固定してから登り木４を固定してもよい。
【００１９】
続いて、図４に示すように、水切り部材５における上壁部５２の上壁縁部５２１の端縁Ｅに対して、被覆部材７において上壁部７２の上壁縁部７２１に存在するフック部７２２を引っ掛けると、前記上壁部７２が前記端縁Ｅを中心にして矢印Ｊの向きに回動してゆき、下方を向いて傾斜している水切り部材５の上壁部５２の端縁Ｅに対して、被覆部材７の上壁部７２は傾斜した状態を保持したまま、最後に二つの上壁部５２、７２が完全に重なる。この過程で、水切り部材５の端縁Ｅには、それが被覆部材７のフック部７２２に絶えず相対的に係止されようとする係止作用が働く。
【００２０】
そして、二つの上壁部５２、７２が完全に重なったときには、図１及び図５に示すように、水切り部材５と被覆部材７の垂直部５３、７３との間に前記登り木４が入り込む隙間が形成される。従って、登り木４に対して被覆部材７を取り付けるとき、従来技術と異なり、被覆部材７が登り木４の所定高さ位置に位置決めする必要が全くなくなるので、本発明に係るけらば構造体１０は、けらば部Ｋを施工する施工効率を著しく向上させる。また、同時に、二つの上壁部５２、７２が完全に重なったときには、それらの間には、従来技術と異なり、雨水が浸入する隙間が全く形成されない。そのため、雨水に対する登り木４の被覆が確実に実現される。最後に被覆部材７の垂直部７３から登り木４に対して釘１１等を用い留め付ける。このけらば構造体１０においては上面からの釘留めを必要としないため、防水上も優れた効果を発揮する。
【００２１】
さらに本発明に係るけらば構造体１０においてその水切り部材５の上壁部５２が、従来技術と異なり、底面部５１と同じ向きに延出しているので、前記の上壁縁部５２１の端縁Ｅと後者の水返し片５４の端縁Ｆとの隙間を必要最小限度に小さくすることができる。その結果、図５及び図８に示すように、けらば部Ｋに葺かれる瓦１を、そのまま又は半分に切断して、それらを前記隙間内に挿入させながら野地板３上に葺設すると、前記水切り部材５上に流れ込む雨水量を最小限に抑制できる。その結果、けらば部Ｋにおける雨漏りをより完全に防止可能となる。
【００２２】
このように本発明に係るけらば構造体１０は、けらば部Ｋに固定された切妻屋根２において、軒先側から棟側に向かって段々に葺かれている瓦１と対照的に棟側から軒先側に真っ直ぐに葺かれるので、切妻屋根２に対する意匠性をより高めるという効果も発揮する。
【産業上の利用可能性】
【００２３】
本発明は、瓦葺きされた切妻屋根のけらば部に対して広く利用することができる。
【図面の簡単な説明】
【００２４】
【図１】本発明に係るけらば構造体の部分破断斜視図である。
【図２】前記構造体の構成要素である水切り部材の部分破断斜視図である。
【図３】前記構造体の構成要素である被覆部材の部分破断斜視図である。
【図４】前記水切り部材に対する被覆部材の取り付け過程を示す部分破断斜視図である。
【図５】けらば部に取り付けられた本発明に係る構造体の横断面図である。
【図６】野地板上に防水シートを敷設した後のけらば部に登り木と水切り部材とを取り付けた状態を示す部分斜視図である。
【図７】さらに続いて被覆部材を取り付けた状態を示す斜視図ある。
【図８】けらば部におけるけらば構造体と瓦の取付け位置関係を示す部分斜視図である。
【図９】切妻屋根に取り付けられたけらば構造体の部分斜視図である。
【図１０】けらば部に取り付けられた従来技術に係るけらば構造体の横断面図である。
【符号の説明】
【００２５】
１    瓦
１１    側縁部
２    切妻屋根
３    野地板
４    登り木
４１    内面
４２    上面
４３    外面
５    水切り部材
５１    底面部
５２    上壁部
５２１    上壁縁部
５３    垂直部
５４    水返し片
６    補強部材
７    被覆部材
７１    垂直部
７２    上壁部
７２１    上壁縁部
７２２    フック部
７３    垂直部
７４    水返し片
８    防水シート
９    桟木
１０    けらば構造体
１１    釘
Ａ    矢印
Ｂ    屈曲部
Ｃ    コーナー
Ｄ    隙間
Ｅ    端縁
Ｆ    端縁
Ｇ    端縁
Ｊ    矢印
ｈ    高さ
Ｋ    けらば部
【図１】
2007297847.tif 000003
【図２】
2007297847.tif 000004
【図３】
2007297847.tif 000005
【図４】
2007297847.tif 000006
【図５】
2007297847.tif 000007
【図６】
2007297847.tif 000008
【図７】
2007297847.tif 000009
【図８】
2007297847.tif 000010
【図９】
2007297847.tif 000011
【図１０】
2007297847.tif 000012